(57)【要約】【課題】アイデア提供者からのアイデアの要約をパック化して、アイデアの束として顧客に閲覧可能に表示して、パック化されたアイデアの束に対して顧客から注文を受け、アイデアの束に対して支払われる金銭をアイデアの束を構成するアイデアの要約に基づいて配分するアイデア売買システムを提供することである。【解決手段】アイデアの要約とアイデア提供者に関するデータを入力する入力手段１４と、このデータを格納可能な領域を備えた第１の保管手段１９，２１と、アイデアの束を作成する第１のパッキング手段Ｃと、このアイデアの束を公衆に閲覧可能にする第１の表示手段１５と、注文データを入力する第１の発注手段Ａと、注文データを格納可能な領域を備えた第２の保管手段２４と、金銭の支払いを行う第１の決済手段１０と、金銭を配分する処理を行う還元手段１２とを有する。【選択図】　図１
2004054539.tif 000002
【特許請求の範囲】
【請求項１】
アイデア提供者からのアイデアの要約とこのアイデア提供者に関するデータを入力する入力手段と、この入力されたアイデアの要約とアイデア提供者に関するデータを格納可能な領域を備えた第１の保管手段と、この第１の保管手段から任意の複数のアイデアの要約を抽出し組み合わせてアイデアの束を作成する第１のパッキング手段と、このパッキング手段で組み合わせられた複数の前記アイデアの束を公衆に閲覧可能にする第１の表示手段と、前記アイデアの束に対する注文データを入力する第１の発注手段と、この入力された注文データを格納可能な領域を備えた第２の保管手段と、前記アイデアの束に対する注文データに基づいて対価としての金銭の支払いを行う第１の決済手段と、前記第２の保管手段から前記注文データに含まれるアイデアの束の中の個々のアイデアの要約に対する情報を読み出しつつ、この情報の中から前記アイデア提供者に係る情報を抽出して前記第１の保管手段からアイデア提供者に関するデータを読み出して符号したアイデア提供者に対して前記金銭を配分する処理を行う還元手段とを有することを特徴とするアイデア売買システム。
【請求項２】
アイデア提供者からのアイデアの要約とこのアイデア提供者に関するデータを入力する入力手段と、この入力されたアイデアの要約とアイデア提供者に関するデータを格納可能な領域を備えた第１の保管手段と、この第１の保管手段に格納された前記アイデアの要約を公衆に閲覧可能にする第１の表示手段と、前記アイデアの要約に対する入札が可能な複数の行使ユニットの束を販売する入札権利販売手段と、前記行使ユニットの束の対価として金銭の支払いを行う第２の決済手段と、前記アイデアの要約に対して前記行使ユニットの束から任意の数の行使ユニットを割り当てながら注文データを入力する入札手段と、この入力された注文データを格納可能な領域を備えた第２の保管手段と、前記第２の保管手段から前記注文データに含まれるアイデアの要約に対する情報を読み出しつつ、この情報の中から前記アイデア提供者に係る情報を抽出して前記第１の保管手段からアイデア提供者に関するデータを読み出して符号したアイデア提供者に対して前記金銭を配分する処理を行う還元手段とを有することを特徴とするアイデア売買システム。
【請求項３】
請求項１記載のアイデア売買システムにおいて、前記第１のパッキング手段と第１の表示手段に代えて、前記第１の保管手段から前記アイデアの要約を読み込んで公衆に閲覧可能にする第２の表示手段と、この第２の表示手段によって表示される複数のアイデアの要約の組合せに関する希望を入力する希望調査手段と、この希望調査手段によって入力された希望順位に従って組合せに含まれる所定のアイデアの要約の数ほどアイデアの要約を抽出して組み合わせる第２のパッキング手段とを有することを特徴とするアイデア売買システム。
【請求項４】
請求項１記載のアイデア売買システムにおいて、前記第１の保管手段、第１のパッキング手段、第１の表示手段、第１の発注手段並びに第１の決済手段に代えて、前記入力されたアイデアの要約にアイデアの要約内容に基づいて分類符号を付す第１の分類手段と、前記分類符号と前記アイデアの要約を対応させて格納可能な領域を備えた第３の保管手段と、顧客の要求に前記分類符号を付す第２の分類手段と、この第２の分類手段によって付された分類符号と同一の分類符号を付されたアイデアの要約を前記第３の保管手段から読み出して前記顧客に表示する第３の表示手段と、この第３の表示手段によって表示されたアイデアの要約に対する注文データを入力する第２の発注手段と、前記アイデアの要約に対する注文データに基づいて対価としての金銭の支払いを行う第３の決済手段とを有することを特徴とするアイデア売買システム。
【請求項５】
請求項１乃至請求項３記載のアイデア売買システムにおいて、前記還元手段は、前記アイデアの束に含まれる個々のアイデアの重要度を入力する評価部と、この評価部に入力されたアイデアの重要度に基づいて前記金銭の支払いによる利益を計算する計算部とを有し、この計算部で計算された利益を個々のアイデア提供者へ配分する還元手段であることを特徴とするアイデア売買システム。
【発明の詳細な説明】
【０００１】
【発明の属する技術分野】
本発明は、アイデアを募集して売買するシステムに係り、特に詳細な内容が明かされないアイデアを売買する際にアイデアの購入者の不利益を低減させるアイデア売買システムに関する。
【０００２】
【従来の技術】
近年の電気通信技術の発達により、発明や考案あるいは著作物も含めて人間のアイデアの売買が頻繁に行われるようになってきており、このようなアイデアの売買に関するいわゆるビジネスモデルに関する発明も出願されるようになってきた。
【０００３】例えば、特開２００２−７７７８号公報（以下、イ号公報という。）には、「各種アイデアをデータベース化し、発案者と募集主の間のアイデアの売買に伴い、仲介機能となる営業形態・経路の発明」として、「消費者が思いついたアイデアをコンピュータを利用し、データベース化する。その後、会員制度を敷いた上で、会員を募集し、インターネット等の通信・放送ネットワークを通じてデータベースを会員に公開し、アイデア自体の売買を仲介する」ものが開示されている。このイ号公報に開示された発明では、アイデアの閲覧に際して一部に留めておき会員がアイデアの内容をすべて知りたい場合には、情報伝達仲介者に申し出て内容を別途公開するようにしている。また、会員がアイデアを購入した場合には仲介契約書や秘密保持契約書等の必要書類を用意して情報伝達仲介者が立ち会った上で売買を行うようにしている。
【０００４】また、特開２００１−３１２５７６号公報（以下、ロ号公報という。）には、「ネットワークオークションシステム」として、設定テーマに関しデータベースサーバなどを用いながら応募データを所定のファイルによって受け付けたり、あるいは管理している応募データを募集資格者に対して閲覧可能にしたりする発明が開示されている。
さらに、特開２００１−１６９６００号公報（以下、ハ号公報という。）には、「著作権、特許権などの知的資産の取引市場」として、著作権や特許権に関する取引市場を構成して多数の人間の関与を促進しながら公開販売するものが開示されている。
【０００５】これらイ号公報乃至ハ号公報に開示された発明は、いずれも広くアイデアなどを募集し、募集によって収集されたアイデアをインターネットなどのコンピュータネットワークを通じて公開販売して利益をあげる基本的なシステムである。
これらのシステムを利用すれば、従来のように書類をそろえてアイデアを募集あるいは購入希望している者に郵送する手間がなく、短時間に多くのアイデアの売買が成立するなどの効果も期待できる。
【０００６】
【発明が解決しようとする課題】
しかしながら、上述の従来の技術においては、イ号公報に開示されるようにアイデアを売買する際にはアイデアの要約を公開し、その要約の内容を判断して興味を持った顧客に対して情報伝達仲介者に申し出て内容を別途公開するようにしている。このような従来の技術では、個々のアイデアの要約内容を理解して最終的に欲しいアイデア全体を把握するまでに顧客は多大な時間と労力を要してしまうという課題があった。昨今のように情報通信技術の発達によって数多くのアイデアが提供可能となっている状態では、顧客が求めるアイデアに到達するまでに特に膨大な時間を要してしまう。
【０００７】また、アイデアの提供者としては、当初からアイデア全部を公開してしまうとアイデアを盗用されるおそれもあり、アイデアの価値が半減してしまうことも少なくない。そのため、自己のアイデアの開示には慎重であり、可能な限り安全に自己のアイデアを開示したいと願うのは当然のことである。
ロ号公報やハ号公報ではアイデア等の売買に関するシステムに関する技術の開示はあるものの提案者によるアイデアの開示と顧客によるアイデアの購入という双方の利便性に関する技術を開示するものではなく、これらに開示された技術においても短時間に低コストで、そしてアイデア提供者にとっては安全にかつ容易にアイデアの流通あるいは売買を行うことができないという課題があった。
【０００８】本発明はかかる従来の事情に対処してなされたものであり、アイデア提供者からのアイデアの要約をパック化して、アイデアの束として顧客に閲覧可能に表示して、パック化されたアイデアの束に対して顧客から注文を受け、アイデアの束に対して支払われる金銭をアイデアの束を構成するアイデアの要約に基づいて配分するアイデア売買システムを提供することを目的とする。
【０００９】
【課題を解決するための手段】
上記目的を達成するため、請求項１記載の発明であるアイデア売買システムは、アイデア提供者からのアイデアの要約とこのアイデア提供者に関するデータを入力する入力手段と、この入力されたアイデアの要約とアイデア提供者に関するデータを格納可能な領域を備えた第１の保管手段と、この第１の保管手段から任意の複数のアイデアの要約を抽出し組み合わせてアイデアの束を作成する第１のパッキング手段と、このパッキング手段で組み合わせられた複数のアイデアの束を公衆に閲覧可能にする第１の表示手段と、アイデアの束に対する注文データを入力する第１の発注手段と、この入力された注文データを格納可能な領域を備えた第２の保管手段と、アイデアの束に対する注文データに基づいて対価としての金銭の支払いを行う第１の決済手段と、第２の保管手段から注文データに含まれるアイデアの束の中の個々のアイデアの要約に対する情報を読み出しつつ、この情報の中から前記アイデア提供者に係る情報を抽出して前記第１の保管手段１９からアイデア提供者に関するデータを読み出して符号したアイデア提供者に対して前記金銭を配分する処理を行う還元手段を有するものである。
【００１０】上記構成のアイデア売買システムにおいては、複数のアイデアの要約を組み合わせて束として閲覧可能に表示し、このアイデアの束に対して注文を受け、アイデア提供の対価として金銭の支払いを受ける。従って、アイデア提供者としては要約を提供することによって、詳細なアイデアの内容を開示する前にアイデアに対する対価を受けとることが可能であると同時に、顧客としてはアイデアの要約であっても複数のアイデアに関して先鞭をつけることができる。複数のアイデアであれば、その中で１のアイデアについて期待が外れたとしても、その他のアイデアで期待以上のものが含まれていることもありえる。すなわち、リスクを分散する作用を有する。
【００１１】また、請求項２に記載の発明であるアイデア売買システムは、アイデア提供者からのアイデアの要約とこのアイデア提供者に関するデータを入力する入力手段と、この入力されたアイデアの要約とアイデア提供者に関するデータを格納可能な領域を備えた第１の保管手段と、この第１の保管手段に格納されたアイデアの要約を公衆に閲覧可能にする第１の表示手段と、アイデアの要約に対する入札が可能な複数の行使ユニットの束を販売する入札権利販売手段と、行使ユニットの束の対価として金銭の支払いを行う第２の決済手段と、アイデアの要約に対して行使ユニットの束から任意の数の行使ユニットを割り当てながら注文データを入力する入札手段と、この入力された注文データを格納可能な領域を備えた第２の保管手段と、第２の保管手段から前記注文データに含まれるアイデアの要約に対する情報を読み出しつつ、この情報の中から前記アイデア提供者に係る情報を抽出して第１の保管手段からアイデア提供者に関するデータを読み出して符号したアイデア提供者に対して金銭を配分する処理を行う還元手段とを有することを特徴とするアイデア売買システム。
【００１２】上記構成のアイデア売買システムにおいては、顧客に入札権利販売手段によって権利行使ユニットをまとめた権利の束を購入してもらうことによって、予め金銭の支払いを済ませて入札形式でアイデアを落札するという作用を有する。一定の入札のための権利の束を購入しさえすれば、複数のアイデアを購入することも可能であり、他の顧客とのかけひきも生じるためアイデアの売買が慎重に行われると同時にアイデア提供者にとっては複数の応札者によってアイデアの価値が正当に評価されるという作用を有する。
【００１３】請求項３に記載の発明であるアイデア売買システムは、請求項１記載のアイデア売買システムにおいて、第１のパッキング手段と第１の表示手段に代えて、第１の保管手段からアイデアの要約を読み込んで公衆に閲覧可能にする第２の表示手段と、この第２の表示手段によって表示される複数のアイデアの要約の組合せに関する希望を入力する希望調査手段と、この希望調査手段によって入力された希望順位に従って組合せに含まれる所定のアイデアの要約の数ほどアイデアの要約を抽出して組み合わせる第２のパッキング手段とを有するものである。
【００１４】上記構成のアイデア売買システムにおいては、請求項１記載の発明の作用に加えて希望調査手段が顧客の希望を調査して第２のパッキング手段が顧客の希望順位に沿ってアイデアの要約を抽出して組み合わせるため、顧客にとっては注文容易なアイデアの束が構成されると同時に、アイデアの提供者にとっては自己のアイデアが含まれる束に対して、注文をする顧客が真に自己のアイデアを望む顧客であるというマッチングの精度を高める作用を有する。
【００１５】請求項４に記載の発明であるアイデア売買システムは、請求項１記載のアイデア売買システムにおいて、第１の保管手段、第１のパッキング手段、第１の表示手段、第１の発注手段並びに第１の決済手段に代えて、入力されたアイデアの要約にアイデアの要約内容に基づいて分類符号を付す第１の分類手段と、前記分類符号とアイデアの要約を対応させて格納可能な領域を備えた第３の保管手段と、顧客の要求に分類符号を付す第２の分類手段と、この第２の分類手段によって付された分類符号と同一の分類符号を付されたアイデアの要約を第３の保管手段から読み出して顧客に表示する第３の表示手段と、この第３の表示手段によって表示されたアイデアの要約に対する注文データを入力する第２の発注手段と、前記アイデアの要約に対する注文データに基づいて対価としての金銭の支払いを行う第３の決済手段とを有するものである。
【００１６】上記構成のアイデア売買システムにおいては、第１の分類手段と第３の分類手段によって、アイデア提供者から提供されたアイデアに対して顧客の要求するアイデアを容易に結びつけマッチングの精度を高めるという作用を有する。
【００１７】請求項５に記載の発明であるアイデア売買システムは、請求項１乃至請求項３記載のアイデア売買システムにおいて、還元手段がアイデアの束に含まれる個々のアイデアの重要度を入力する評価部と、この評価部に入力されたアイデアの重要度に基づいて金銭の支払いによる利益を計算する計算部とを有し、この計算部で計算された利益を個々のアイデア提供者へ配分する還元手段となるものである。
上記構成のアイデア売買システムにおいては、請求項１乃至請求項３記載の発明の作用に加えて、アイデアの束に含まれる個々のアイデアの重要度をその個々のアイデア提供者に対する配分利益に反映させることができアイデアの内容に基づく利益配分を可能とする作用を有する。
【００１８】
【発明の実施の形態】
以下に、本発明に係るアイデア売買システムの第１の実施の形態を図１および図２に基づき説明する。（請求項１乃至請求項５に関連）
図１は本実施の形態に係るアイデア売買システムの構成図である。図１において、アイデア売買システム１は大まかにはネットワークサーバ３、決算処理部４、募集情報処理部５、売買情報処理部６及びデータ管理部７から構成される。ネットワークサーバ３はワールドワイドウェブサーバ８と電子メールサーバ９から構成されており、インターネット２に接続することによって、アイデア売買システムとアイデア提供者あるいはそのアイデア購入者とのインターフェースとなる。従って、決算処理部４、募集情報処理部５及び売買情報処理部６のすべてがこのネットワークサーバ３に接続されている。また、データ管理部７も直接的ではないが、決算処理部４などを介して接続されている。
【００１９】ネットワークサーバ３におけるワールドワイドウェブサーバ８は、アイデアの募集を行うためあるいは提供されたアイデアを公衆に対して閲覧するためのウェブサイトを管理しているサーバであり、電子メールサーバ９はアイデア提供者やアイデア購入者との情報などのやりとりに用いられる電子メールを管理するサーバである。
【００２０】決算処理部４は、決済処理部１０とアイデア処理部１１と利益還元部１２とから成り、提供されたアイデアの出荷状況を把握しながら決済処理してアイデア提供者に利益の還元を行う。
募集情報処理部５は、募集広告情報処理部１３、提供者情報処理部１４、アイデア情報処理部１５から構成され、アイデアの募集広告を出して得られたアイデアの内容と提供者の情報を処理する。
【００２１】売買情報処理部６は、購入者情報処理部１６と販売広告情報処理部１７と符号Ａ，Ｂ，Ｃで示される部分で構成され、提供されたアイデアの売買に関する処理を行うものである。符合Ａで示される部分は、図２（ａ）に示されるとおり受注情報処理部３１、アイデア情報発送部３２、アイデア情報抽出部３３、販売データ処理部３４から構成されるものである。また、符号Ｂ，Ｃで示される部分はそれぞれ図２（ｂ），（ｃ）に示されるとおり、概略情報処理部３５、セット販売部３６、入札情報処理部３７、アイデア情報発送部３８、落札決定部３９、販売データ処理部４０、評価情報処理部４１と概略情報処理部４２、希望情報処理部４３、入札情報処理部４４、アイデア情報発送部４５、評価情報処理部４６、パック生成部４７、落札決定部４８、販売データ処理部４９で構成される。
【００２２】データ管理部７は、データベースの集合であり募集広告データベース１８、提供者情報データベース１９、出荷済アイデアデータベース２０、未出荷アイデアデータベース２１、販売広告データベース２２、購入者情報データベース２３、販売情報データベース２４から構成され、種々の情報を格納するものである。
このように構成されたアイデア売買システム１において、アイデア募集からアイデアの閲覧、売買、利益還元までの流れについて図３も加えて説明する。
【００２３】図３はアイデア売買システムの全体の取引手続の流れを示すフローチャートである。図３において、符号６１は募集プロセスを示している。募集広告データベース１８は、インターネットを通じて発信される募集広告を格納するためのデータベースである。また提供者情報データベース１９は、アイデアの提供者５１に関する情報を格納するためのデータベースである。募集プロセス６１ではインターネットをはじめ新聞、ラジオ、テレビ、ポスターなどの情報発信手段を用いてアイデア募集の広告を行い、郵便や電話、ファクシミリ、電子メール、ウェブ・アプリケーションなどの情報通信手段を用いて個人や企業などのアイデア提供者５１から、日用品からいわゆるハイテク関連まで幅広いアイデアを募集する。アイデアの募集は、図１に示されるとおり募集広告情報処理部１３が募集広告データベース１８に格納された募集広告を読み出して、それをネットワークサーバ３の中のワールドワイドウェブサーバ８に送信してインターネット２上で閲覧可能にすることによって行われる。もちろん、インターネット２を介する以外に各メディアを利用してもよい。
【００２４】募集広告を見たアイデア提供者５１は、セキュリティ保護された電子メールなどでアイデアとその要約及び提供者に関する情報を電子ファイル形式で提供する。提供されるアイデア等は電子メールサーバ９を経由して募集情報処理部５に送信される。提供者に関する情報は提供者情報処理部１４によって提供者情報データベース１９に格納され、アイデアとその要約はアイデア情報処理部１５によって未出荷アイデアデータベース２１に格納される。
なお、アイデア提供者５１は、電子ファイル形式で提供する以外に直接募集情報処理部５にアクセスして書き込むことによって提供することとしてもよい。
【００２５】図３の符号６２は分類プロセスを示している。この分類プロセス６２では提供されたアイデアがどのような産業分野に属するかどうかを判断するものであり、前述のアイデア情報処理部１５によって処理されるプロセスである。図３の符号６３は整理プロセスを示している。分類プロセス６２で分類された後に提供されたアイデアが既に取り扱われたアイデアかどうかを判断するプロセスである。この判断の処理は、アイデア情報処理部１５が出荷済アイデアデータベース２０と未出荷アイデアデータベース２１からすべてのアイデアデータを読み出して新たに提供されたアイデアと照合することによって行われる。その際には、アイデアの全文に対して所定のコンピュータプログラムを用いることによって、含まれる文字や単語、記号、ファイルサイズ、更新日時、データの送信元などを照合条件として類似度を判定する。
【００２６】次に、図３の符号６４で示される保管プロセスとなる。アイデア情報処理部１５による照合処理によって新規なアイデアであることが確認された後にアイデア情報処理部１５から未出荷アイデアデータベース２１へ格納される。符号６５は、販売プロセスである。販売広告データベース２２に格納された販売広告と共に未出荷アイデアデータベース２１からアイデアの要約を抽出して顧客５２に閲覧可能にしておく。顧客５２は、ニーズにマッチしたアイデアに対して購入意思を伝えるべく購入者に関する情報を送信する。購入者の情報については購入者情報データベース２３に格納され、購入自体に関する記録は販売情報データベース２４に格納されどのようなアイデアのニーズが高いかなどの情報の処理にも活用される。
【００２７】図１を用いて販売プロセスの説明を追加する。アイデアの売買は、アイデア売買システム１において主として売買情報処理部６によって処理される。販売広告は販売広告情報処理部１７によって販売広告データベース２２から読み出され、ネットワークサーバ３の中のワールドワイドウェブサーバ８によってインターネット２上に閲覧可能に提供される。提供可能なアイデアは未出荷アイデアデータベース２１内に格納されるが、これは図１中符号Ａで示される部分及びネットワークサーバ３、さらにインターネット２を経由して顧客５２に提供される。図２（ａ）及び図１において、アイデア情報抽出部３３は、アイデアの要約情報を未出荷アイデアデータベース２１から読み出してアイデア情報発送部３２に送信し、ここを経由してネットワークサーバ３に伝送される。また、顧客５２によるアイデア購入の注文は、アイデアの提供時と同様に電子メールサーバ９を経由して行われるが、その情報は受注情報処理部３１とアイデア情報発送部３２に送信される。あるいは、電子メールサーバ９を経由しなくとも、ワールドワイドウェブサーバ８を介して直接的に受注情報処理部３１に書き込むようにしてもよい。受注情報処理部３１は注文を受けた場合にはアイデア情報抽出部３３を再度未出荷アイデアデータベース２１にアクセスさせて今度はアイデア本体を読み出させアイデア情報発送部３２とネットワークサーバ３を経由して顧客５２に提供する。購入者に関する情報は、アイデア情報抽出部３３によって購入者情報データベース２３に格納され、購入に関する情報は受注情報処理部３１を経由して販売データ処理部３４によって販売情報データベース２４に格納される。
【００２８】顧客５２による支払いは電子決済を行ってもよいし、別途銀行などの金融機関への振込みによってもよい。アイデア本体をアイデア情報発送部３２経由で顧客５２へ送信する前に実施する必要はないものの、アイデア提供者の取引の安全性の確保のためにアイデア本体を提供する前に、アイデアの売買が契約などで成立している必要がある。
【００２９】最後に、図３の符号６６は還元プロセスを示している。このプロセスは顧客５２から得たアイデア情報提供の対価としての金銭をアイデア提供者に対して配分するプロセスである。販売情報データベース２４に含まれる販売に関する情報の中から提供者名を読み出して、提供者情報データベース１９にアクセスして提供者名を読み出して照合し、提供者５１の認定を行いその提供者５１に対して利益を配分する処理を行うものである。図１のアイデア売買システム１では、この利益還元は決算処理部４で処理される。利益還元部１２が、販売情報データベース２４と提供者情報データベース１９にアクセスしてアイデア提供者の情報を読み出して照合する。利益還元部１２で照合されたアイデア提案者に対して決済処理部１０は、利益の還元を行う。利益還元はネットワークサーバ３とインターネット２を介していわゆるネット決済を行ってもよいし、支払い用の小切手を発行したり、銀行など金融機関への振込みを利用してもよい。ここで、アイデア処理部１１は、未出荷アイデアデータベース２１に格納されていたアイデアとその要約に関する情報を出荷済アイデアデータベース２０に移動させる。
次に、本発明の第２の実施の形態に係るアイデア売買システムを図４を参照しながら説明する。（特に請求項４に対応）
【００３０】図４は第２の実施の形態に係るアイデア売買システムを用いた取引手続の流れを示すフローチャートである。図４において図３と同一のプロセスには同一符号を付す。本実施の形態においては、保管プロセス６４において、提供者５１から提供されるアイデアとアイデアの要約を分類符号を付してストックしておき、顧客５２からのニーズにも分類符号を付しておいて、これらの分類符号に基づくマッチングを行い、マッチングしたアイデアを顧客５２に提供して、その中から選択されたアイデアについて対価の支払いを受け、提供者５１に配分するというものである。
【００３１】図４において、公開プロセス６７では、販売広告データベース２２からアイデア販売に関する広告を閲覧可能に顧客５２に表示し、販売プロセス６５ａにおいて、別途顧客５２から顧客５２の望むアイデアの内容を所定のフォーマットに従って入力してもらう。比較プロセス６８では顧客５２から要望のあったアイデアと提供可能なアイデアのマッチングを行う。
【００３２】これらのプロセスについて図１及び図２（ａ）のシステム構成図を用いて説明を追加する。まず、提供者５１から提供されたアイデアは、アイデア情報処理部１５において分類され符号を付された上で未出荷アイデアデータベース２１に格納される。アイデア情報処理部１５において、アイデアの要約の内容を自動的に判別させて符号を付すほか、アイデアの提供者５１に提供時に所定の分類の中から１の分類を選択してもらい、その分類情報をアイデア情報処理部１５に入力することによって符号を付してもよい。
【００３３】一方、販売広告データベース２２に格納されているアイデア販売に関する広告は第１の実施の形態と同様に図１に示される販売広告情報処理部１７によって読み出され、ネットワークサーバ３及びインターネット２を経由して顧客５２に閲覧可能に表示される。
販売プロセス６５ａでは、顧客５２はインターネット２及びネットワークサーバ３を経由して自己の必要としているアイデアの内容については受注情報処理部３１にアクセスして所定のフォーマットに入力する。受注情報処理部３１では、さらに入力された情報に基づいて産業分野別などに分類して符号を付す。受注情報処理部３１においては、予め顧客５２にアイデアの内容について所定の分類を提示しておき、その中から分類を選択してフォーマットに記入してもらい、その分類に基づいて受注情報処理部３１で分類を付してもよい。
【００３４】比較プロセス６８では、アイデア情報抽出部３３は、この分類符号と未出荷アイデアデータベース２１に格納されている提案可能なアイデアの要約の分類符号を比較して顧客５２の要求するアイデアとのマッチングの成否を判断する。
顧客５２自体の情報については、売買情報処理部６の購入者情報処理部１６にアクセスして所定のフォーマットに入力する。入力された顧客に関する情報は購入者情報データベース２３に格納される。
【００３５】次に図４の販売プロセス６５ｂでは、マッチングの成否について顧客５２に連絡を行う。マッチングが成立した場合には、さらに同一分類符号のアイデアとニーズの内容を顧客５２がチェックできるように表示される。
それで顧客５２によって最終的にマッチングすればアイデア本体を顧客５２に渡してアイデアの対価の支払いを受ける。このような受注、取引に関する情報は、販売情報データベース２４に格納される。また、還元プロセス６６においては、提供者情報データベース１９から提供者に関する情報を読み出して提供者５１の認定を行った後に、顧客５２によって支払われるアイデアの対価を配分する。
【００３６】これらの２つのプロセスに関して図１及び図２（ａ）のシステム構成図を参照しながら追加説明を行う。受注情報処理部３１で判断したマッチングの成否は、受注情報処理部３１、ネットワークサーバ３、インターネット２を経由して顧客５２に連絡される。また、アイデア情報抽出部３３はマッチングしているアイデアの要約をネットワークサーバ３やインターネット２を介して顧客５２に表示する。さらに、分類符号のみならず内容的にも一致している場合には、顧客５２からの正式な購入の要望を再度受注情報処理部３１で受ける。この購入に関する情報によって、アイデア情報抽出部３３は未出荷アイデアデータベース２１にアクセスして該当するアイデアを読み出して、アイデア情報発送部３２を経由して顧客５２に提供する。購入要望などの受注情報は受注情報処理部３１から販売データ処理部３４を経て販売情報データベース２４に格納される。購入要望に関する情報には、対価の額や支払い方法、支払い期間など購入に際して必要なすべての情報が含まれる。
【００３７】顧客５２によるアイデア購入の対価支払いのための情報は決済処理部１０との間で行われる。その際には、決済処理部１０は販売情報データベース２４に格納された売買に関する情報を読み出して、対価の額あるいは一括や分割等の支払い方法を読み出して参照しながら処理を行う。また、顧客５２の認証のために購入者情報データベース２３にアクセスして顧客自身の情報を読み出す。
【００３８】アイデア処理部１１は販売されたアイデアを未出荷アイデアデータベース２１から出荷済アイデアデータベース２０に移動させる。
利益還元部１２は得られた対価を販売情報データベース２４及び提供者情報データベース１９を参照しながら計算し、決済処理部１０を介して提供者に配分して還元する。
【００３９】本実施の形態によれば、アイデア提供者から提供されたアイデアと顧客の要求するアイデアにそれぞれ分類符号を付すので、これらを容易に結びつけることができマッチングの精度を高めることができる。
次に、本発明の第３の実施の形態に係るアイデア売買システムについて図５を参照しながら説明する。（特に請求項２に対応）
【００４０】図５は、第３の実施の形態に係るアイデア売買システムを用いた取引手続の流れを示すフローチャートである。図５において、図３あるいは図４に示されるプロセスと同一のものについては同一符号を付す。本実施の形態では、顧客５２にアイデアを購入するための権利の行使ユニットを予め購入してもらい、複数の顧客５２がその行使ユニットを互いに使用することによって、１のアイデアに対して複数の顧客５２が競合するような状態で該アイデアを落札するというものである。
【００４１】公開プロセス６７は、未出荷アイデアデータベース２１に格納されるアイデアの要約を顧客５２に閲覧可能に表示するプロセスであり、セット販売プロセス６９は、顧客５２からアイデアを購入することができる権利の行使ユニットの束（以下、本行使ユニットの束を本願明細書ではセットという。）の購入の注文を受け、購入者自身の情報を購入者情報データベース２３に格納し、セットの購入個数などの情報を販売情報データベース２４に格納するプロセスである。ここまでの流れについて、図１及び図２（ｂ）のシステム構成図を参照しながら説明を追加する。
【００４２】未出荷アイデアデータベース２１に格納された提供可能なアイデアは、図１に示される売買情報処理部６を介してネットワークサーバ３及びインターネット２から顧客５２に対して閲覧可能にされる。売買情報処理部６における処理について詳細には、図２（ｂ）に示される概略情報処理部３５が未出荷アイデアデータベース２１にアクセスして提供可能なアイデアを読み込み、これをネットワークサーバ３に送信しインターネット２を介して閲覧可能にするのである。この提供可能なアイデアを閲覧し、購入しようと考える顧客５２はまずセットを購入する必要があるが、そのセットの購入のための顧客自身の情報は購入者情報処理部１６を介して購入者情報データベース２３に格納され、セット購入数などの情報は売買情報処理部６のセット販売部３６に入力される。このセット販売部３６で入力された顧客５２の情報は販売情報データベース２４に格納される。この情報の入力を受けて、セット販売部３６はネットワークサーバ３及びインターネット２を経由してセットの販売を行う。セットは複数購入することができ、複数のセットを電子的に処理して顧客５２のコンピュータなどの端末装置に蓄積させる。セットの中から行使ユニットを使用した場合には、セット販売部３６は販売情報データベース２４に格納されている行使ユニット数を読み出して使用した分を減数して再度販売情報データベース２４に入力する。なお、この蓄積された行使ユニットの管理はアイデア売買システム１側で行い、顧客５２はパスワードなどを与えられてログオンし、この行使ユニットの残存数を販売情報データベース２４から読み出しチェックしながらこれを行使するようにするとよい。セットに対する顧客５２からの支払いは、ネット決済の他、所定の銀行口座に振り込みをしてもらうなどしてもよい。
【００４３】次に、図５に戻って入札プロセス７０以降の説明を行う。入札プロセス７０では、顧客５２は、未出荷アイデアデータベース２１に示される提出可能なアイデアの中から、購入を希望するいくつかのアイデアを選択して販売情報データベース２４に格納されているセットからいくつか行使ユニットを取り出して入札行為を行う。どの顧客５２が入札したかということは、購入者情報データベース２３から顧客５２自身に関する情報を読み出すことによって行われる。複数の顧客５２からの入札のための行使ユニットを集計して、最多の行使ユニットを投入した顧客５２が落札することができる。各アイデアに対してどの顧客５２が落札したかを決定してアイデアを発送するのが次の配分プロセス７１である。配分プロセス７１では、入札結果について販売情報データベース２４に情報を格納し、さらに落札した顧客５２に未出荷アイデアデータベース２１からアイデア本体を読み出して発送する。
【００４４】これらのプロセスについて図１と図２（ｂ）のシステム構成図を用いて説明を加える。
未出荷アイデアデータベース２１に格納された顧客５２に提供可能なアイデアは概略情報処理部３５、ネットワークサーバ３及びインターネット２を介して顧客５２に閲覧され、顧客５２はその中から購入を希望するアイデアを１あるいは複数選択して自己のセットの中から行使ユニットの数を選択して入札する。この入札行為は、インターネット２、ネットワークサーバ３を介して入札情報処理部３７に入力される。入札情報処理部３７は、入札を行った顧客５２に関する情報をまず購入者情報データベース２３にアクセスして読み出し、さらに販売情報データベース２４にアクセスしてその顧客５２が所有する行使ユニットの残存数を読み出して、適切な入札が実施されたかについて確認する。複数の顧客５２からの同時の入札も考えられるが、顧客５２の入札に関する情報は、落札決定部３９へ送信されてここで最も多くの権利を入札した顧客５２を判断して落札の決定が行われる。
【００４５】落札者の決定が行われると、一旦この落札者に関する情報が販売情報データベース２４に格納される。販売情報データベース２４に格納された情報を販売データ処理部４０が読み出して、アイデア情報発送部３８へ送信し、アイデア情報発送部３８は、未出荷アイデアデータベース２１から落札されたアイデア本体を抽出して、さらに購入者情報データベース２３からこの落札者、すなわち顧客自身に関する情報を購入者情報データベース２３から読み出して送信先を確認した後に、ネットワークサーバ３とインターネット２を介して送信する。
【００４６】再度図５に戻って、評価プロセス７２では顧客５２からアイデアに対する評価を受けて販売情報データベース２４にその評価を書き込む。書き込まれた評価に基づき、提供者情報データベース１９に格納されているアイデアの提供者情報に基づいて利益を還元するのが還元プロセス６６である。
【００４７】図１及び図２（ｂ）を参照しながらこの２つのプロセスの説明を追加すると、落札した顧客５２は、自分が落札したアイデア本体の内容を見ながら、その内容から自己が望んだアイデアであったか否か、あるいは自己が望んでいたアイデアであってもどの程度活用できるかというような評価を行う。この評価はインターネット２及びネットワークサーバ３を介して評価情報処理部４１に入力され、この評価は販売情報データベース２４に格納される。この評価情報は利益還元部１２へ送信され、販売情報データベース２４及び提供者情報データベース１９を参照しながら対価を計算し、決済処理部１０を介して提供者に配分される。
【００４８】利益還元部１２は得られた対価を販売情報データベース２４及び提供者情報データベース１９を参照しながら計算し、決済処理部１０を介して提供者に配分して還元する。
本実施の形態においては、予めセットを販売しアイデア提供者の利益をそこで確保できるため、アイデア提供者のリスクを低減させることができる。
【００４９】次に、本発明の第４の実施の形態に係るアイデア売買システムについて図６を参照しながら説明する。（請求項１乃至請求項５に対応）
図６は、第４の実施の形態に係るアイデア売買システムを用いた取引手続の流れを示すフローチャートである。図６において、図３乃至図５に示されるプロセスと同一のものについては同一符号を付してその内容の説明は省略する。本第４の実施の形態の第１実施例では、予め複数のアイデアを束ねてパック化し、そのパック単位で顧客に販売するものである。（請求項１乃至請求項５に対応）
【００５０】さらに、本実施の形態の第２実施例では、複数のアイデアを束ねる際にその前段階として顧客に提供可能なアイデアの要約を閲覧可能にしておき、顧客にアイデアを束ねる際の希望の組合せを投票してもらい、その結果最多得票であった組合せとしてパック化を決定するものである。（特に請求項３に対応）
【００５１】順序は逆となるが、まず第２実施例について説明する。図６の公開プロセス６７において、顧客５２に対して販売広告データベース２２からアイデアのパック化のための組合せの希望の募集を行う旨の広告を読み出して表示し、未出荷アイデアデータベース２１から提供可能なアイデアの要約を閲覧可能な状態にしておき、調査プロセス７３で顧客５２からパック化として顧客５２の望む組合せを投票してもらう。その後、パック化プロセス７４では、未出荷アイデアデータベース２１から複数のアイデアを抽出して最多得票であった組合せにしてパック化する。提示プロセス７５では、そのパック化されたアイデアの組合せについて顧客５２に提示し、パック販売プロセス７６で販売する。パック販売プロセス７６では、パック化されたアイデアの組合せに対して最も高い値をつけた顧客５２に対して販売したり、あるいは抽選で顧客５２を選定したり、顧客５２同士の協議によって決定したりすればよい。購入する顧客５２に対しては、アイデア本体を未出荷アイデアデータベース２１から読み出して提供し、顧客５２によって入力される顧客情報は購入者情報データベース２３に格納して、さらにその対価としての金銭の支払いを受ける。販売に関する情報は販売情報データベース２４に格納される。評価プロセス７２では顧客５２からパック化された複数のアイデアの各々について評価をしてもらう。評価結果については、販売情報データベース２４に格納される。
【００５２】そしてその評価に基づいて還元プロセス６６では、販売情報データベース２４から評価結果に関する情報を読み出すとともに提供者情報データベース１９から提供者５１に関する情報を読み出して利益の配分を行う。
【００５３】以上のようなプロセスについて、さらに図１及び図２（ｃ）を参照しながら詳細に説明する。
公開プロセス６７では、概略情報処理部４２が、未出荷アイデアデータベース２１から提供可能なアイデアの要約を読み出し、さらに販売広告データベース２２から提供可能なアイデアをパック化して販売する際の組合せの希望を募集するための広告を読み出してネットワークサーバ３及びインターネット２を経由して顧客５２に閲覧可能に表示する。また、閲覧可能にされるのはアイデアの要約のみとせず、提供者情報処理部１４が提供者情報データベース１９からアイデアを提供した提供者の情報を読み出して、アイデアの要約と併せて表示するようにしてもよい。
【００５４】調査プロセス７３では、顧客５２はインターネット２及びネットワークサーバ３を介して希望情報処理部４３に自己が希望するアイデアのパック化の組合せについて入力する。
パック化プロセス７４では、希望情報処理部４３に入力された組合せに関する情報をもとにパック生成部４７がパック化の組合せを決定する。
【００５５】この決定の演算方法について、表１を用いて説明を追加する。表１（ａ）は提供可能なアイデアと顧客の組合せを示した表であり、表１（ｂ）は顧客によって投票されたパック化希望の組合せを示した表である。
【表１】
2004054539.tif 000003
【００５６】パック化は、顧客による組合せ情報の中から、（１）最多の顧客の間で重複しているアイデアであり、（２）アイデアを希望する顧客の数が最少となるように組合せられる。この２つの条件に沿ってパック生成部４７によってパック化される。
表１（ａ）において、提供可能なアイデアがａ〜ｄの４つあり、このアイデアの要約を閲覧してアイデアの購入を希望する顧客がＡ〜Ｅの５人いた場合を想定している。この５人の顧客が、４つのアイデアのうち、自己が購入希望するアイデアの数と種類に沿ってその組合せを投票した結果が表１（ｂ）に示されたものである。この表１（ｂ）からアイデアａを少なくとも希望する顧客が４人、アイデアｂとアイデアｃを少なくとも希望する顧客が３人と、人気が高いことがわかる。従って、上述の条件（１）からこのような場合において２つのアイデアを１つのパックとする場合には、（ａ，ｂ）と（ａ，ｃ）いう組合せの候補が考えられる。
【００５７】このいずれの組合せを１パックとするかについて以下に説明する。上例のように２つのアイデアをパックとすることが決定された場合、このパックの中に含まれる１のアイデアのみでも顧客が購入すると仮定してパック化を決定する場合と、パックの中に含まれるアイデアの組合せについて完全に一致した場合にのみ顧客が購入すると仮定してパック化を決定する場合の２通りがある。
【００５８】まず、パックに含まれる１のアイデアのみで顧客が購入すると仮定する場合であれば、（ａ，ｂ）とパックした場合には、表１（ｂ）を参照すれば顧客のＡ，Ｂ，Ｃ，Ｄが購入を希望するはずである。一方、（ａ，ｃ）とパックした場合では、顧客のＡ〜Ｅの顧客のすべてが購入するはずとなる。従って、この２つのパックのうち、（ａ，ｂ）とした方が購入を希望する顧客の数は少なくなるので条件（２）から（ａ，ｂ）というパックが成立する。
一方、パックに含まれるすべてのアイデアを希望する場合にのみ顧客が購入すう場合を仮定した場合では、（ａ，ｂ）とパックした場合では顧客のＡ，Ｃ，Ｄが購入を希望し、（ａ，ｃ）とパックした場合では顧客のＢとＤのみが購入希望することになる。従って、条件（２）を満足するのは（ａ，ｃ）とパックした場合であり、このようにパックが成立する。
【００５９】以上のように条件（２）については仮定の設定によってパック化の組合せが異なるが、パック化の希望を顧客に予め投票してもらうという趣旨からすれば、パックに含まれるすべてのアイデアと一致するように条件（２）を適用する方が望ましいと考えられる。その一方で、なるべく多くの顧客が入札に参加できるようにするためには、パックに含まれる１のアイデアが一致するように条件（２）を適用する方が望ましいと考えられる。これは、特にアイデアの質にバラツキが存在し、１のアイデアの重要性が他のアイデアに比べて特に高い場合に偶々その他のアイデアの選び方によって入札できたりできなかったりする場合を防止するためにも有効である。
【００６０】さらに、表１（ｂ）によれば、パック化希望の投票では、パック化されるアイデアの数について制限しない場合の投票結果を示したため、顧客によってパック化を希望したアイデアの数がランダムになっているが、これは予めパック化される数を顧客に示しておき、例えば２つの組合せとして投票をしてもらうようにしてもよいことは言うまでもない。
パック化されるアイデアが決定された後に、パック生成部４７は未出荷アイデアデータベース２１に格納されたアイデアの要約を読み出し、組合せを行い、パック化されたアイデアの要約の束を生成し、再び未出荷アイデアデータベース２１に格納する。
提示プロセス７５では、パック化されたアイデアの要約を入札情報処理部４４が未出荷アイデアデータベース２１から読み出してネットワークサーバ３とインターネット２を介して顧客５２に提示する。
【００６１】パック販売プロセス７６では、提示プロセス７５でパック化されたアイデアを閲覧した上で購入を希望する顧客５２が、入札情報処理部４４に自己の希望するパック化アイデアを指定して金額を入力して入札を行う。あるいは電子メールサーバ９を利用してメールで知らせてもらうようにしてもよい。これらの情報を入札情報処理部４４は落札決定部４８に送信し、落札決定部４８は入札した顧客５２のうち最も高額を提示した顧客５２を落札者として判断する。落札者が決定されるとその情報は、アイデア情報発送部４５に送信され、アイデア情報発送部４５は落札決定部４８に未出荷アイデアデータベース２１から落札されたアイデア本体の束を読み出すように指示して、ネットワークサーバ３とインターネット２を介して顧客５２にアイデア本体の束を送信する。落札者の氏名や連絡先については購入者情報処理部１６を介して購入者情報データベース２３に格納され、販売に関する情報、すなわち取引の日時、落札額や対象となったアイデアの束の内容などは、販売データ処理部４９を介して販売情報データベース２４に格納される。
【００６２】アイデアの束を購入した落札者に対しては、電子決済あるいは別途銀行振込などでアイデアの束に対する対価の金銭を支払ってもらう。落札に関する情報は販売情報データベース２４から決済処理部１０によって読み出され、この情報を受けた決済処理部１０はアイデア処理部１１に対して、未出荷アイデアデータベース２１に格納されていた落札の対象となったアイデアの要約及び本体の束を出荷済アイデアデータベース２０へ移動させるように指令する。
評価プロセス７２では、落札者に購入したアイデアの束に対して評価してもらい、束を構成していたアイデア毎にその評価結果を評価情報処理部４６に入力してもらう。その評価結果は販売情報データベース２４に格納される。
【００６３】利益還元部１２は、販売情報データベース２４から販売情報のうち、落札されたアイデアを提供した提供者５１に関する情報と、落札者による評価結果に関する情報を読み出し、提供者５１について提供者情報データベース１９との照合を行った後、評価結果に沿って利益の配分の計算を行い、提供者５１に還元する。
【００６４】次に、本第４の実施の形態の第１実施例について、図６、図１及び図２（ｃ）を参照しながら説明する。
本実施例では、パック化が予め顧客５２の希望を聞くことなくシステム側で決定されているものを入札してもらうものである。従って、図６において、調査プロセス７３とパック化プロセス７４に代えて、システム内で自動的にパック化するようなプロセスを追加したものとなる。図２（ｃ）のパック生成部４７において、未出荷アイデアデータベース２１に格納された複数のアイデアをランダムに抽出し、あるいは予めアイデア情報処理部１５で産業分野別に付される符号内で抽出してパック化するようにしておけばよい。パック化する際の数もシステムの運用者が設定可能にしておくとよいし、同一符号が付されたアイデア全てを１パックとしたり、予めパックの数を設定してパックの中身の数が決定されるようにしておいてもよい。
【００６５】本実施例では、希望情報処理部４３は不要であるがその他の構成要素は第１実施例と同様であり、その構成の説明は省略する。
このような本実施の形態においては、第１実施例及び第２実施例ともにアイデア提供者とアイデア購入者のリスクを低減することが可能である。すなわち、アイデア提供者は、詳細なアイデアの内容を開示する前にアイデアの要約を提示してアイデアに対する金銭的な対価を受けとることが可能であり、顧客とすればアイデアの要約であっても複数のアイデアに関して先鞭をつけることができるし、複数のアイデアの中で１のアイデアに対する期待が外れたとしても、その他のアイデアで期待以上のものが含まれていることもあるため、投資リスクの分散、削減を図ることができる。
【００６６】
【発明の効果】
以上説明したように、本発明のアイデア売買システムにおいては、アイデア提供者としては、詳細なアイデアの内容を開示する前にアイデアの要約を提示してアイデアに対する金銭的な対価を受けとることが可能であると同時に、顧客としてはアイデアの要約であっても複数のアイデアに関して先鞭をつけることができる。複数のアイデアであれば、その中で１のアイデアについて期待が外れたとしても、その他のアイデアで期待以上のものが含まれていることもありえるため、投資のリスクを分散、削減することができる。
【００６７】また、特に請求項２に記載のアイデア売買システムにおいては、権利の行使ユニットをまとめた束を販売するため、アイデア提供者のリスクをさらに低減させることができる。
特に請求項３に記載のアイデア売買システムにおいては、顧客にとっては自己の組合せの希望がかなえられる可能性が高くなり、アイデアの束に対する注文が容易あるいは便利となり、アイデアの提供者にとっては自己のアイデアが含まれる束に対して、注文をする顧客が真にアイデアを望む顧客であるというマッチングの精度を高めることができる。
【００６８】請求項４に記載のアイデア売買システムにおいても、アイデア提供者から提供されたアイデアに対して顧客の要求するアイデアを容易に結びつけることができるので、マッチングの精度を高めることができる。
最後に、請求項５に記載のアイデア売買システムでは、パック化されたアイデアの中身を顧客からの重要度に関する評価をベースに公正に判断して、利益配分を行うことができる。
【図面の簡単な説明】
【図１】本発明の第１の実施の形態に係るアイデア売買システムの構成図である。
【図２】（ａ）は図１に符号Ａで示される部分の拡大構成図、（ｂ）は図１に符号Ｂで示される部分の拡大構成図、（ｃ）は図１に符号Ｃで示される部分の拡大構成図である。
【図３】第１の実施の形態に係るアイデア売買システムの全体の取引手続の流れを示すフローチャートである。
【図４】第２の実施の形態に係るアイデア売買システムを用いた取引手続の流れを示すフローチャートである。
【図５】第３の実施の形態に係るアイデア売買システムを用いた取引手続の流れを示すフローチャートである。
【図６】第４の実施の形態に係るアイデア売買システムを用いた取引手続の流れを示すフローチャートである。
【符号の説明】
１…アイデア売買システム　２…インターネット　３…ネットワークサーバ　４…決算処理部　５…募集情報処理部　６…売買情報処理部　７…データ管理部８…ワールドワイドウェブサーバ　９…電子メールサーバ　１０…決済処理部１１…アイデア処理部　１２…利益還元部　１３…募集広告情報処理部　１４…提供者情報処理部　１５…アイデア情報処理部　１６…購入者情報処理部　１７…販売広告情報処理部　１８…募集広告データベース　１９…提供者情報データベース　２０…出荷済アイデアデータベース　２１…未出荷アイデアデータベース　２２…販売広告データベース　２３…購入者情報データベース　２４…販売情報データベース　３１…受注情報処理部　３２…アイデア情報発送部　３３…アイデア情報抽出部　３４…販売データ処理部　３５…概略情報処理部　３６…セット販売部　３７…入札情報処理部　３８…アイデア情報発送部　３９…落札決定部　４０…販売データ処理部　４１…評価情報処理部　４２…概略情報処理部　４３…希望情報処理部　４４…入札情報処理部　４５…アイデア情報発送部　４６…評価情報処理部　４７…パック生成部　４８…落札決定部　４９…販売データ処理部　５１…提供者　５２…顧客　６１…募集プロセス　６２…分類プロセス　６３…整理プロセス６３　６４…保管プロセス６４　６５ａ，６５ｂ…販売プロセス　６６…還元プロセス６６　６７…公開プロセス６７　６８…比較プロセス　６９…セット販売プロセス　７０…入札プロセス　７１…配分プロセス　７２…評価プロセス　７３…調査プロセス　７４…パック化プロセス　７５…提示プロセス　７６…パック販売プロセス
【図１】
2004054539.tif 000004
【図２】
2004054539.tif 000005
【図３】
2004054539.tif 000006
【図４】
2004054539.tif 000007
【図５】
2004054539.tif 000008
【図６】
2004054539.tif 000009